(57)【要約】　　　（修正有）【課題】わずかなスペースや室内でも手軽かつ安全にプレーすることの出来る、野球の醍醐味であるところのピッチングとバッティングの対戦が可能な野球に類似した新しいスポーツゲーム用具を提供する。【解決手段】簡易ベースボール用の球１に吸盤と羽根を設けることにより、空気抵抗で投球及び打球のスピードを落とすことが出来る様にし、またバット２に設けた平滑な平面もしくは緩やかな曲面を形成した打球面に球を当てることが出来た場合に、その玉の吸盤によりその玉がバットに吸着して打球が飛ばないように出来るようにする。【選択図】　　図８
0003100330.tif 000002
【実用新案登録請求の範囲】
【請求項１】
投手によって投げられた球を打者がバットで打つ野球に類似したゲーム用の、空気抵抗で飛距離を抑えるための合成繊維や天然繊維あるいは羽毛などで羽根を形成した、吸盤つきソフトダーツ状の簡易ベースボールゲーム用の球。
【請求項２】
木製もしくは合成樹脂、金属、あるいはそれらを複合したバットであって、吸盤を有するソフトダーツ状の球が貼り付くことの出来る平滑な平面あるいは緩やかな曲面を備えた簡易ベースボールゲーム用のバット。
【考案の詳細な説明】
【技術分野】
【０００１】
本考案は、投手によって投げられた野球のボールに見立てたソフトダーツ状で吸盤を有する球を、打者が打球面に平面あるいは緩やかな曲面を形成したバットを振って、その打球面で捕らえ引っ付けて楽しむことの出来るスポーツゲーム用具に関するものである。
【背景技術】
【０００２】
従来野球の醍醐味であるところの、投手が投げた球をバットで打つというプレーをするには、人や設備に打球による危害が及ぶ恐れがあるため、安全確保のため広い場所が必要であった。
【０００３】
もしくは、ネットなどの設備で安全確保が必要であり、手軽に楽しむことが困難であった。
【０００４】
また、投手からバッターまでの距離も１０メートル〜18メートル必要で、バッティング練習であっても限られたスペースでは困難であった。
【０００５】
あるいは、打球が遠くまで飛び転がるため球拾いが大変で、少人数では楽しみにくかった。
【考案の開示】
【考案が解決しようとする課題】
【０００６】
本考案は、室内などの限られたスペースや少人数でも野球に類似したスポーツゲームを楽しめる用具を提供するものである。
【課題を解決するための手段】
【０００７】
上記の課題を解決するために、本考案は空気抵抗で、スピードと飛距離を落とすことのできる合成繊維などで形成した羽根をもうけた吸盤つきのソフトダーツ状簡易ベースボールゲーム用の球と、球の吸盤が貼り付くことができる様にするため、打球面に平面あるいは緩やかな曲面を形成したことを特徴とするバットを提供する物である。
【考案の効果】
【０００８】
本考案のソフトダーツ状の球によれば、羽根の空気抵抗でスピードが落とせるためピッチャーからバッターまでの距離を通常の半分以下に短く取ることが出来るため、室内などの限られたスペースでも安全に野球に類似したゲームをプレーすることが可能になる。
【０００９】
また、打球のスピードも抑えられるため安全で、飛距離も短く転がらないため球の回収が楽になる。特にバッターが球をバットの打球面の中心部で捕らえた場合、球は吸盤によって快音とともにバットに張り付くため、ジャストミートしたことが一目瞭然となり、ホームランあるいはヒットと規定することが出来、ゲームの勝敗のめやすとすることが出来る。
【００１０】
本考案の用具を使用すれば、室内などの小さなスペースでも、手軽で安全に、投球や打球をともなう野球に類似したゲームを楽しむことが出来るものである。
【００１１】
また、吸盤で球がバットあるいはストライクボードに付着するため、プレーの結果が明白で審判による判定が必要ではないため、ピッチャーとバッターの２人だけでも競技することが出来る。
【００１２】
なお、ヒットやホームランの判定を、打った球の状態で決めることが出来るため、走塁の困難な身障者や高齢者でも楽しむことが出来る。
【考案を実施するための最良の形態】
【００１３】
以下、本考案の実施形態を図面によって具体的に説明する。
ソフトダーツ状簡易ベースボールゲーム用の球は、第１図に示すようにゴム、塩化ビニール樹脂、シリコン樹脂などの樹脂製吸盤（５）と、ゴム、塩化ビニール樹脂、プラスチック、コルクあるいは木製などの羽根の根締め部（４）と、ポリプロピレン、ポリエチレン、ナイロン、天然羽毛などで形成した羽根（３）からなる。
【００１４】
吸盤（５）の大きさは吸盤を１個とする場合、直径３ｃｍから１０ｃｍとするのが良い。また吸盤は図２に示すように２個以上としてもよく、その場合は吸盤の直径を１ｃｍから４ｃｍとするのが良い。
【００１５】
羽根は図３に示すようにポリプロピレン繊維など（３）を束にして上下に貫通孔を形成した根締め（４）をはさんで吸盤にナイロン結束帯（６）等で結束する。
あるいは熱溶着若しくは接着剤で根締め（４）に固定することもできる。
【００１６】
羽根の長さは５ｃｍから１５ｃｍ位とし、ピッチャーからバッターまでの距離で、吸盤面が先頭に向いて飛行するために必要十分な空気抵抗を生じる量とする。
【００１７】
簡易ベースボールゲーム用のバットは、第４図に示すように木製、合成樹脂製、金属性などの平板をバット型に成型加工する。
【００１８】
あるいは、図５に示すように通常の野球バットの一部を平面あるいは緩やかな曲面に加工するか図６に示すよう直径を太くして、吸盤が付着できる様にする。
【００１９】
吸盤が付着する平面あるいは緩やかな曲面部分の位置や大きさは、俗に言うバットのスイートスポットの位置周辺がよく、上級者用は大きさを小さくし、初心者用は大きくするなど任意に変更してもよい。
【００２０】
バットにはより吸盤の付着が良くなるよう、樹脂板やステッカーなどを貼り付けても良い。
【００２１】
以下、本考案の用具を使用したゲームの実施例を図７に示す。ピッチャー（１０）からバッター（１１）の間の距離は球に空気抵抗があるため３〜８メートル程度とする。ピッチャーはバッターのストライクゾーンをめがけて球を投げる。
【００２２】
ストライクゾーンはキャッチャーの位置にストライクゾーン枠（１３）を設けたボード（１２）を立てて示しても良い。バッターはその球をバットのスイートスポットに当てるようにめがけて振る。見事タイミング良くスイートスポットで捕らえると、図８に示すよう球の吸盤をバットに引っ付ける事が出来る。その場合をホームランとしてバッターは１点を得る。
【００２３】
バットに当てることが出来ても、バットに引っ付かず飛んでしまった場合は、球の飛び方などによりヒットあるいはファールとする。その判断の一例として、ボールが吸盤を下にして地面に立った場合はヒット、そうでない場合はファールとしてもよい。
【００２４】
その他のルールは野球のルールに準じて決めるのが良い。
【実施例１】
【００２５】
図１は吸盤の数を１とし、ポリプロピレン繊維製の羽根を設けた場合の、本考案による簡易ベースボールゲーム用の球の一例である。
【実施例２】
【００２６】
図２は吸盤の数を３とした場合の、本考案による簡易ベースボールゲーム用の球の一例である。
【実施例３】
【００２７】
図４は平板状の、本考案による簡易ベースボールゲーム用のバットの一例である。
【実施例４】
【００２８】
図５は円筒状の、本考案による簡易ベースボールゲーム用のバットの一例である。
【実施例５】
【００２９】
図６は円筒の直径を大きくした、本考案による簡易ベースボールゲーム用のバットの一例である。
【図面の簡単な説明】
【００３０】
【図１】本考案の実施例を示す簡易ベースボールゲーム用の球の、斜視図の１例である。
【図２】本考案の球の異なる実施例の斜視図である。
【図３】本考案の球の一部断面分解正面図である。
【図４】本考案の実施例を示す簡易ベースボールゲーム用のバットの、斜視図の１例である。
【図５】本考案のバットの異なる実施例の斜視図である。
【図６】本考案のバットの異なる実施例の斜視図である。
【図７】本考案のスポーツゲーム実施例の一例を示す全体斜視図である。
【図８】本考案のスポーツゲームでホームランあるいはヒットと規定する状態の一例を表した斜視図である。
【符号の説明】
【００３１】
　１　　　球
　２　　　バット
　３　　　羽根
　４　　　根締め
　５　　　吸盤
　６　　　結束帯
　７　　　打球面
　８　　　グリップ
　９　　　グリップエンド
１０　　　ピッチャー
１１　　　バッター
１２　　　ストライク表示ボード
１３　　　ストライクゾーン表示部
【図１】
0003100330.tif 000003
【図２】
0003100330.tif 000004
【図３】
0003100330.tif 000005
【図４】
0003100330.tif 000006
【図５】
0003100330.tif 000007
【図６】
0003100330.tif 000008
【図７】
0003100330.tif 000009
【図８】
0003100330.tif 000010